(57)【特許請求の範囲】
【請求項１】
搬送者が子供を保持して搬送するための子供の保持具において、
子供の収容体と、該子供の収容体を支持するための支持体として搬送者の肩の付近に配置される当て部材とを備え、
前記当て部材が、
搬送者の身体の前面の両側に回される幅広の肩ベルトと、
搬送者の身体の背中側の肩付近に配置されほぼ肩付近の形状に合わせた当て板と
を有し、
かつ、前記肩ベルトに設けられ前記子供の収容体を着脱する肩ベルト取付け手段と、
前記背中側の当て板に設けられ前記子供の収容体を着脱する当て板取付け手段と、  
を備えており、
前記子供の収容体は、前記肩ベルト取付け手段と、前記当て板取付け手段のいずれにも着脱可能に取り付けられる構成とした
ことを特徴とする子供の保持具。
【請求項２】
前記子供の収容体は、新生児を収容する新生児収容体あるいは乳児を収容する乳児収容体である請求項１に記載の子供の保持具。
【請求項３】
前記子供の収容体は止め具を備え、この止め具は前記当て板取付手段と前記肩ベルト取付手段のいづれかの止め具と着脱可能に連結される請求項１に記載の子供の保持具。
【請求項４】
新生児収容体あるいは乳児収容体は背もたれを備える請求項２に記載の子供の保持具。
【発明の詳細な説明】
【０００１】
【発明の属する技術分野】
本発明は、搬送者が子供（新生児や乳児等）を保持して搬送するための保持具に関するものである。
【０００２】
【従来の技術】
親等の搬送者が、新生児や乳児のような子供を保持して搬送するために保持具を用いる。この保持具には、いろいろな種類のものが提案されている。
例えば保持具としては、新生児を搬送者の体の前面側に抱きかかえるようにして、所謂「抱っこ」して搬送する形式のものや、新生児を搬送者の体の背面側に背負うようにして、所謂「おんぶ」して搬送する形式のものがある。この種の従来の保持具は、新生児の体重を搬送者の肩に掛けて支えるためのベルトと、新生児を収容する袋部分を有していて、この袋部分がベルトと一体に形成されている。
【０００３】
【発明が解決しようとする課題】
ところがこの種の保持具は、上述したように袋部分とベルトが一体化されているので、子供が成長して例えば新生児から乳児に至る過程では、その袋部分がその子供の体型に合わなくなってしまい、保持具が使えなくなってしまうという問題が生じる。またある種の保持具には、新生児等を搬送者の体の前面側に抱えたり搬送者の背面側に保持することが兼用できる種類のものもあるが、新生児の体重がベルトのみを介して全て搬送者の肩に加わるので、搬送者の負担が大きい。またこの種の保持具では、新生児等を搬送者の体の前面側に抱きかかえる状態の搬送者に対する位置と、新生児等を搬送者の体の背面側に保持する状態における搬送者に対する位置が必ずしも一定でないので、保持具を使用する度にベルトの長さの調整をして新生児等の搬送者に対する位置を調整する必要がある。
そこで本発明は上記課題を解消するためになされたものであり、子供の成長に合わせて子供を収容する収容体を取り換えることができ、子供を搬送者の前面側と背面側に正しい位置に保持できる子供の保持具を提供することを目的としている。
【０００４】
【課題を解決するための手段】
上記目的は、請求項１の発明にあっては、搬送者が子供を保持して搬送するための子供の保持具において、子供の収容体と、該子供の収容体を支持するための支持体として搬送者の肩の付近に配置される当て部材とを備え、前記当て部材が、搬送者の身体の前面の両側に回される幅広の肩ベルトと、搬送者の身体の背中側の肩付近に配置されほぼ肩付近の形状に合わせた当て板とを有し、かつ、前記肩ベルトに設けられ前記子供の収容体を着脱する肩ベルト取付け手段と、前記背中側の当て板に設けられ前記子供の収容体を着脱する当て板取付け手段とを備えており、前記子供の収容体は、前記肩ベルト取付け手段と、前記当て板取付け手段のいずれにも着脱可能に取り付けられる構成とした、子供の保持具により、達成される。
【０００５】
請求項２にあっては、子供の収容体は、新生児を収容する新生児収容体あるいは乳児を収容する乳児収容体である。
請求項２の発明では、子供の収容体は新生児や乳児を収容する大きさを有する収容体を用意しておく。これにより、搬送者は子供の大きさに応じて子供の収容体を選択することができる。
【０００７】
請求項３の発明では、前記子供の収容体は止め具を備え、この止め具は前記当て板取付手段と前記肩ベルト取付手段のいづれかの止め具と着脱可能に連結される。
請求項４の発明では、新生児収容体あるいは乳児収容体は背もたれを備える。
請求項４の発明の構成によれば、新生児収容体あるいは乳児収容体には背もたれを設けているので、新生児あるいは乳児を確実に保持することができる。
【０００８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００９】
本発明の子供の保持具の実施の形態では、図１〜図５に示す支持手段１００と、図６と図７に示す乳児収容体（子供の収容体）２００と、図１２と図１３に示す新生児収容体（子供の収容体）３００を適宜組合わせて子供を搬送することができるものである。
まず支持手段１００について図１〜図５を参照して説明する。
支持手段１００は、図１〜図３にその構造を示している。この支持手段１００は、図４と図５に示す親等の搬送者Ｐの肩Ｓ全体の付近に配置される当て部材１１０を備えている。この当て部材１１０は、図１〜図３に示すように搬送者Ｐの肩Ｓの付近全体の形状に合わせたものであり、しっかりとしたしかし肩Ｓの形状にフィットする構造となっている。この当て部材１１０は、当て板１５０と、取付手段１２０，１２０、肩ベルト１４０，１４０、背ベルト１６０および取付手段１３０，１３０等を有している。
【００１０】
当て板１５０は上述したように比較的しっかりとした補強材に対して、布で覆ったようなものであり、搬送者Ｐの肩Ｓ全体の付近の形状に合わせた形となっている。図３と図５の当て板１５０には上述した取付手段１２０，１２０が両肩付近に対応して位置されている。この取付手段１２０，１２０は、たとえばリング状のものである。当て板１５０は、通しベルト１５１，１５１を有している。
図２と図４に示すように、前側の肩ベルト１４０，１４０には取付手段１３０，１３０がそれぞれ取付られている。この取付手段１３０，１３０は先程の取付手段１２０，１２０と同様のものである。
【００１１】
図１の肩ベルト１４０，１４０のそれぞれの一端は当て板１５０の上側に固定されており、他端側はベルト１４５，１４５の一端側が取付られている。このベルト１４５，１４５は、図２に示すようにベルト調整部１３５，１３５によりその長さが調整可能である。ベルト１４５，１４５の他端は、背ベルト１６０，１６０の一端に取付られている。背ベルト１６０，１６０の他端は、図１に示すように当て板１５０の内側の両端部に取付られている。
図３の補助ベルト１７０，１７０は、ベルト１４５，１４５の他端側と背ベルト１６０の一端側の接続部分に取付られている。補助ベルト１７０，１７０の他端にはオス止め具１７１，１７１が取付られている。このオス止め具１７１，１７１は、例えばプラスチックにより作られている。
上述した肩ベルト１４０、背ベルト１６０、ベルト１４５、補助ベルト１７０，１７０は、それぞれ例えば柔軟性の良い補強した布により作ることができる。
【００１２】
次に、この支持手段１００を搬送者Ｐが装着する様子を、図４と図５で説明する。
支持手段１００の肩ベルト１４０，１４０は、搬送者Ｐの肩Ｓに対して両腕を通すようにして取付る。この場合に、当て部材１１０の当て板１５０は、搬送者Ｐの肩Ｓ全体の付近に沿って配置され、かつＸ字型に交差した背ベルト１６０，１６０が搬送者Ｐの背中に配置される。これにより肩ベルト１４０，１４０は図４に示すように搬送者Ｐの胸側に位置し、背ベルト１６０，１６０は搬送者Ｐの背中側に位置し、かつベルト１４５，１４５（図３参照）は搬送者Ｐの腰の両横部分に位置して、補助ベルト１７０，１７０は搬送者Ｐの腰の両側あるいは、わきの下から腰の間付近（体側）に位置することになる。そして図２のベルト調整部１３５，１３５によりベルト１４５，１４５の長さを調整することにより、当て板１５０は、図５に示すように搬送者Ｐの肩Ｓ全体に対して確実に位置決めされる。
【００１３】
次に、図６と図７の乳児収容体２００の構造について説明する。
この乳児収容体２００は、乳児を収容して保持するものであり、図１〜図５の支持手段１００の取付手段１２０，１２０（図３参照）に着脱可能に取付ることができ、取付手段１３０，１３０（図２参照）に対しても着脱可能に取付られるものである。
図６と図７の乳児収容体２００は、背もたれ２１０、収容部２３０、取付フック２４０，２４０、腰ベルト２２０，２２０、メス止め具２５０，２５０、オス止め具２２２、メス止め具２２１等を備えている。
図６の収容部２３０は、乳児の臀部および背中部分を支えるようになっており、背もたれ２１０は乳児の背中および首付近を支えることができる部分である。背もたれ２１０は、取付ボタン２１１により収容部２３０の上の部分に対して着脱可能に取付ることができる。カバー２１２は、この取付ボタン２１１が直接乳児の体に当たらないようにするためのカバーであって、収容部２３０の内部に取付られている。収容部２３０は、その側部両側に取付フック２４０，２４０が取付られている。このフック２４０，２４０は、オス型のフックであり、例えばプラスチックによりしっかりと造られている。
【００１４】
収容部２３０の下部には、上述したメス止め具２５０，２５０と、腰ベルト２２０，２２０が取付られている。腰ベルト２２０，２２０の先端にはそれぞれオス止め具２２２、メス止め具２２１が取付られている。これらメス止め具２５０，２５０、メス止め具２２１，オス止め具２２２は、例えばプラスチックによりしっかりと造られている。
【００１５】
図８と図９は、この乳児収容体２００を支持手段１００の取付手段１２０，１２０に対して取付て、乳児収容体２００が搬送者Ｐの背面側に保持した状態を示している。また図１０と図１１は、乳児収容体２００を支持手段１００の取付手段１３０，１３０に取付て、乳児収容体２００が搬送者Ｐの胸側に保持された状態を示している。
【００１６】
次に図１２と図１３を参照して、別の新生児収容体３００の構造について説明する。
新生児収容体３００は、背もたれ３１０、収容部３１５、締めベルト３８０、取付フック３４０，３４０、腰ベルト３２０，３２０、メス止め具３５０，３５０、オス止め具３２２、メス止め具３２１等を有している。
新生児収容体３００の収容部３１５は、新生児の臀部、腹部、背中部分等を収容する部分である。そして背もたれ３１０は収容部３１５の背面側に一体に形成されており、補強材３１５ｔで補強されている。収容部３１５の両側部分は、ファスナ３６０により着脱可能に取付れている。このファスナ３６０を外すと、収容部３１５の前面側３１５ａが背もたれ３１０側から外れるようになっている。収容部３１５の上部分には、２つの取付フック３４０，３４０が取付られており、これらの取付フック３４０，３４０はプスラチック等によりしっかりと作られたオス型のフックである。収容部３１５の下部には２つのメス止め具３５０，３５０が取付られている。そして収容部３１５の下部には腰ベルト３２０，３２０が取付られている。腰ベルト３２０の端部にはそれぞれオス止め具３２２、メス止め具３２１が設けられている。メス止め具３５０，３５０，３２１およびオス止め具３２２は、プラスチックによりしっかりと作られている。
【００１７】
締めベルト３８０は、図１３に示すようにオス止め具３９０とメス止め具３９１を備えていて、これらの止め具３９０，３９１は着脱可能に連結することができる。これにより締めベルト３８０が、収容部３１５の周囲を締めることができるので、新生児Ｐ２はこの収容部３１５により抜け出ないようにしてしっかりと保持することができる。図１４に示すように新生児Ｐ２の足Ｌは、図１２の足の通し穴３７０，３７０から出すようになっている。
【００１８】
図１４と図１５は、この新生児収容体３００が搬送者Ｐに取付られた支持手段１００の取付手段１２０，１２０に対して取付られており、新生児収容体３００は搬送者Ｐの背中側に保持された状態を示している。図１６、図１７は、新生児収容体３００が搬送者Ｐの支持手段１００の取付手段１３０，１３０に取付られ、新生児収容体３００が搬送者Ｐの胸側に保持されている状態を示している。
【００１９】
次に、上述した子供の保持具の使用方法について順次説明する。
図１〜図３に示す支持手段１００は、図４と図５に示すような状態で搬送者Ｐが装着する。つまり支持手段１００の肩ベルト１４０，１４０に対して搬送者Ｐはそれぞれ両腕を通すことで、支持手段１００を上半身に装着するのであるが、この場合に当て部材１１０の当て板１５０は、図５に示すように搬送者Ｐの背中の付近（肩Ｓ付近全体）に対して位置決めされる。そして背ベルト１６０，１６０が背中において交差した状態になる。そして補助ベルト１７０，１７０はまだ開放された状態である。
【００２０】
次に、図６と図７に示す乳児収容体２００は図４と図５に示す支持手段１００に対して次のようにして装着する。
図８と図９は、乳児収容体２００が、搬送者Ｐに装着されている支持手段１００に対して取付れらた状態であり、乳児収容体２００は当て板１５０側に取付られる。つまり乳児収容体２００は搬送者Ｐの背中側に保持している。この場合には、乳児収容体２００の取付フック２４０，２４０が、当て板１５０の取付手段１２０，１２０に装着されるとともに、腰ベルト２２０，２２０のオス止め具２２２とメス止め具２２１が連結される。
これにより図９に示すように乳児収容体２００の上部が取付フック２４０，２４０および取付手段１２０，１２０によりしっかりと固定され、しかも乳児収容体２００の下部が腰ベルト２２０，２２０によりしっかりと搬送者Ｐの腰に対して固定されることになる。
そして支持手段１００の補助ベルト１７０，１７０のオス止め具１７１，１７１が、図９に示すように乳児収容体２００のメス止め具２５０，２５０に対して連結される。
【００２１】
このようにして図８と図９に示すように乳児収容体２００は、搬送者Ｐの装着している支持手段１００に対してしっかりと固定されることになる。そして乳児Ｐ１は図８に示すように乳児収容体２００に収容されて、乳児Ｐ１の足Ｌが腰ベルト２２０の両側に位置するようになり、乳児Ｐ１の頭部と背中の付近は背もたれ２１０によりしっかりと支えられる。
【００２２】
ところでこの場合に、図８に示すように、支持手段１００の取付手段１３０，１３０が使用されていないので、この空いている取付手段１３０，１３０（図２参照）を利用して、例えば図８に示すような収容袋体を取付ることができる。この収容袋体には、搬送者Ｐが収容したい物品を収容する。これにより、搬送者Ｐは手持ちの袋やカバンを必要とせず、ハンドフリー状態で乳児Ｐ１を所謂「おんぶの状態」で確実に搬送することができる。しかも、取付フック２４０，２４０を当て板１５０の取付手段１２０，１２０に装着することにより、乳児収容体２００の上下方向の位置が確定され、かつ当て部材１１０の当て板１５０は搬送者Ｐの肩Ｓ全体の付近にしっかりと位置決めされていることから、乳児Ｐ１の搬送者Ｐに対する位置を常に一定にすることができるので、搬送者Ｐは乳児Ｐ１を搬送し易くなる。
【００２３】
次に、図１０と図１１は、図８と図９に代えて、乳児収容体２００を搬送者Ｐの胸側（前側）に装着した状態を示している。この場合には、支持手段１００の肩ベルト１４０，１４０の取付手段１３０，１３０に対して、乳児収容体２００の取付フック２４０，２４０を装着する。そして、腰ベルト２２０，２２０のオス止め具２２２とメス止め具２２１を連結する。これにより乳児収容体２００の上部は、肩ベルト１４０，１４０に対して取付手段１３０，１３０、取付フック２４０，２４０を用いてしっかりと固定されるとともに、乳児収容体２００の下部は腰ベルト２２０，２２０を用いて搬送者Ｐに対してしっかりと固定される。しかも、補助ベルト１４５のオス止め具１７１は、乳児収容体２００のメス止め具２５０に対してそれぞれ連結される。
【００２４】
そして乳児Ｐ１は、乳児収容体２００に収容される。この状態では、乳児Ｐ１は搬送者Ｐに対面しており、足Ｌは腰ベルト２２０の両側に出ている。そして背もたれ２１０は乳児Ｐ１の背中および頭部付近を保持している。
この場合にあっても図１０に示すように収容袋体ＭＢは、使用されていない当て板１５０の取付手段１２０，１２０（図３参照）に取付ることができる。
なお図８と図９に示すように、乳児収容体２００を搬送者Ｐの背中側に保持する場合には、取付フック２４０，２４０を図３の通しベルト１５１，１５１に通した後で取付手段１２０，１２０に連結するのが望ましい。
【００２５】
次に、図１２と図１３の新生児収容体３００が、図１４と図１５に示すように搬送者Ｐに装着されている支持手段１００に取付けられる場合を説明する。
図１４と図１５に示すように新生児収容体３００は、搬送者Ｐの支持手段１００の当て板１５０側に取付られている。つまり新生児収容体３００の取付フック３４０，３４０は取付手段１２０，１２０に連結されている。そして補助ベルト１７０，１７０のオス止め具１７１，１７１は、新生児収容体３００のメス止め具３５０，３５０に連結される。しかも新生児収容体３００の腰ベルト３２０，３２０のオス止め具３２２とメス止め具３２１が連結される。これにより、新生児収容体３００の上部は、取付手段１２０，１２０と取付フック３４０により確実に当て板１５０に保持されるとともに、新生児収容体３００の下部は腰ベルト３２０，３２０により搬送者Ｐの腰に対して確実に保持される。
【００２６】
しかも締めベルト３８０の締め方を調整することにより、新生児収容体３００に収容されている新生児Ｐ２を確実に抜け出ないように保持することができる。図１４と図１５の場合であっても、肩ベルト１４０の取付手段１３０，１３０（図２参照）は、この取付手段１３０，１３０を使用して収容袋体ＭＢを装着することもできる。
【００２７】
次に、図１６と図１７を参照すると、新生児収容体３００は、搬送者Ｐの肩ベルト１４０，１４０の取付手段１３０，１３０を用いて搬送者Ｐの前側（胸側）に保持している。つまり、図１７に示すように、肩ベルト１４０，１４０の取付手段１３０，１３０には、新生児収容体３００の取付フック３４０，３４０が連結されている。そして腰ベルト３２０，３２０のオス止め具３２２とメス止め具３２１が連結されている。さらに補助ベルト１７０，１７０のオス止め具１７１，１７１が、新生児収容体３００のメス止め具３５０，３５０に連結される。
【００２８】
このようにすることで、新生児収容体３００の上部は肩ベルト１４０，１４０側に確実に保持され、しかも新生児収容体３００の下部は腰ベルト３２０，３２０により確実に搬送者Ｐの腰に対して保持される。従って、図１６に示すように新生児Ｐ２は、新生児収容体３００に収容されると、足Ｌが腰ベルト３２０の両側に位置されるとともに背もたれ３１０が新生児Ｐ２の背中および頭部の部分を保持する。
【００２９】
このように、本発明の子供の保持具の実施の形態では、当て部材１１０を備える支持手段１００が、子供の収容体である新生児収容体３００あるいは乳児収容体２００と別体になっているので、子供の成長に合わせて、例えば新生児収容体３００を選んだり乳児収容体２００を選択することによって、子供の成長に合わせた適切な子供の搬送を行うことができる。
しかも、新生児収容体３００あるいは乳児収容体２００は、搬送者Ｐが装着している支持手段１００に対して搬送者Ｐの胸側（前側）で所謂「抱っこ」の状態で保持でき、かつ搬送者Ｐの背中側で所謂「おんぶ」の状態で保持することも勿論できる。
そして子供を搬送者Ｐの前側あるいは後側で保持する状態であっても、支持手段１００が新生児収容体３００あるいは乳児収容体２００を搬送者Ｐに対して位置ずれすることなく保持できる。つまり常に子供の搬送者Ｐに対する保持位置を一定にできるので搬送者Ｐは子供を搬送し易くなる。
しかも図８、図１０、図１４、図１６に示すように、空いている側の取付手段１２０，１２０あるいは１３０，１３０に対して別の品物を収容するための収容袋体ＭＢを装着できるので、搬送者Ｐは別途手荷物を持つ必要がなくなり、搬送者Ｐの両手はフリー状態となる。従って子供の世話を両手で行うことができるので、子供を搬送する場合の安全性をより高めることができる。
【００３０】
ところで、上述した子供の保持具の実施の形態では、支持手段１００、新生児収容体３００、乳児収容体２００は、例えば柔らかい肌ざわりのいい布等の材質で造られているが、例えば、布としてはオックスフォード、タッサー、ツイル、デニム、ヒッユリー等の織物を用いることができる。またこの布の概念は、例えばナイロン、ポリエステル、ポリウレタン等の化学繊維等も含む。
また各種フック等の止め具は、プラスチックあるいは金属等で造ることができる。また新生児収容体３００や乳児収容体２００に対して雨よけのフード等を着脱可能に設定することも勿論可能である。
【００３１】
【発明の効果】
以上説明したように、本発明によれば、子供の成長に合わせて子供を収容する収容体を取り換えることができ、子供を搬送者の前面側と背面側に正しい位置に保持できる。
【図面の簡単な説明】
【図１】本発明の子供の保持具の支持手段を正面側から見た図。
【図２】支持手段を正面側から見た図。
【図３】支持手段を背面側から見た図。
【図４】支持手段を搬送者に対して装着した状態を示す正面図。
【図５】支持手段を搬送者に装着した状態を示す背面図。
【図６】乳児収容体を示す正面図。
【図７】乳児収容体を示す背面図。
【図８】乳児収容体を搬送者に装着した支持手段に対して装着して、乳児を搬送者の背中側に保持した状態を示す図。
【図９】図８の状態における乳児収容体と支持手段の連結状態を示す図。
【図１０】乳児収容体を搬送者に支持手段に対して着けた状態を示し、乳児が搬送者の前側（胸側）に保持した状態を示す図。
【図１１】図１０における乳児収容体と支持手段の連結状態を示す図。
【図１２】新生児収容体を示す正面側から見た斜視図。
【図１３】乳児収容体の背面側から見た斜視図。
【図１４】乳児収容体を搬送者が装着している支持手段に対して装着しており、新生児が搬送者の背面側に保持されている状態を示す図。
【図１５】図１４の状態における新生児収容体と支持手段の連結状態を示す図。
【図１６】新生児収容体が搬送者の装着している支持手段に対して装着されており、新生児が搬送者の前側（胸側）に保持された状態を示す図。
【図１７】図１６の状態における新生児収容体と支持手段の連結状態を示す図。
【符号の説明】
１１０  当て部材
１２０  当て部材の背中側の取付手段
１３０  当て部材の胸側の取付手段
１５０  当て板
２００  乳児収容体（子供の収容体）
３００  新生児収容体（子供の収容体）
Ｐ      搬送者
Ｐ１    乳児
Ｐ２    新生児
Ｓ      肩
【図１】
0003729424.tif 000002
【図２】
0003729424.tif 000003
【図３】
0003729424.tif 000004
【図４】
0003729424.tif 000005
【図５】
0003729424.tif 000006
【図６】
0003729424.tif 000007
【図７】
0003729424.tif 000008
【図８】
0003729424.tif 000009
【図９】
0003729424.tif 000010
【図１０】
0003729424.tif 000011
【図１１】
0003729424.tif 000012
【図１２】
0003729424.tif 000013
【図１３】
0003729424.tif 000014
【図１４】
0003729424.tif 000015
【図１５】
0003729424.tif 000016
【図１６】
0003729424.tif 000017
【図１７】
0003729424.tif 000018